(57)【要約】【課題】  部品点数が少なく、かつ意匠性に優れる、吸気ファンを備えた乗りかご装置を提供すること。【解決手段】  天板３上に設けられた吸気ファン１を備えるエレベータの乗りかご装置において、天板３は、吸気ファン１と接続される吸気口７Ａを有し、かご室内における照明装置を覆う照明ケース４に隣接する領域において、天板３における吸気口７Ａを有する部分を覆うと共に、吸気口７Ｂを有するカバー２が設けられ、かご室平面上で、吸気口７Ａの位置と吸気口７Ｂの位置は互いに離れている。【選択図】図１
2015003820.tif 000002
【特許請求の範囲】
【請求項１】
天板上に設けられた吸気ファンを備えるエレベータの乗りかご装置において、
前記天板は、前記吸気ファンと接続される第１の吸気口を有し、
かご室内における照明装置を覆う照明ケースに隣接する領域において、前記天板における前記第１の吸気口を有する部分を覆うと共に、第２の吸気口を有するカバー部材が設けられ、
かご室平面上で、前記第１の吸気口の位置と前記第２の吸気口の位置は互いに離れていることを特徴とするエレベータの乗りかご装置。
【請求項２】
請求項１に記載のエレベータの乗りかご装置において、前記吸気ファンから取り込まれた空気は、前記第１の吸気口と前記第２の吸気口との間において、前記天板と前記カバー部材との間の空間を流路とすることを特徴とするエレベータの乗りかご装置。
【請求項３】
請求項１または２のいずれかに記載のエレベータの乗りかご装置において、前記カバー部材は、前記かご室平面上において、側板と前記照明ケースとの間に位置し、鉛直方向においては前記天板と前記照明ケースの下部であるしゃへい板との間の高さ位置に位置することを特徴とするエレベータの乗りかご装置。
【請求項４】
請求項３に記載のエレベータの乗りかご装置において、前記吸気ファンから取り込まれた空気は、前記第１の吸気口と前記第２の吸気口との間において、前記カバー部材と前記天板と前記照明ケースと前記側板とによって囲まれた空間を流路とすることを特徴とするエレベータの乗りかご装置。
【請求項５】
請求項１に記載のエレベータの乗りかご装置において、前記第２の吸気口は複数のスリット穴からなることを特徴とするエレベータの乗りかご装置。
【請求項６】
請求項１に記載のエレベータの乗りかご装置において、前記第２の吸気口は複数の格子穴からなることを特徴とするエレベータの乗りかご装置。
【発明の詳細な説明】
【技術分野】
【０００１】
本発明は、エレベータの乗りかご装置に係り、特に、吸気ファンを備える乗りかご装置に関する。
【背景技術】
【０００２】
エレベータにおいては、乗りかご内を換気して快適性を向上するために、乗りかご装置に吸気ファンが設けられる。このような吸気ファンを備えた乗りかご装置に関する従来技術として、特許文献１，２に記載された技術が知られている。特許文献１に記載された技術では、小容量の吸気ファンをかご室内の上部における側板と照明ケースの間に配置し、吸気ファンの空気吸入口付近をカバーで覆う。これにより、吸気ファンからかご室内までの流路を短縮するとともに、カバーによりかご室内へ騒音が入らないようにしている。また、特許文献２に記載された技術では、乗りかごの天板上面に吸気ファンを設置し、吸気ファンと、天板に開口する通気口との間に接続される通気ダクトを介してかご室内への吸気を行う。
【先行技術文献】
【特許文献】
【０００３】
【特許文献１】特開２０００−８６１２４号公報
【特許文献２】特開平９−１５１０６０号公報
【発明の概要】
【発明が解決しようとする課題】
【０００４】
しかしながら、特許文献１に記載された従来技術では、かご室内に吸気ファンを設けるため、吸気ファンの空気吸入口付近に騒音侵入防止用のカバーを設け、さらに吸気ファン下部には、かご室内から天井を見上げた場合、吸気ファンを見えなくするために、かご室内に意匠性の良いカバーを設ける必要がある。
【０００５】
また、特許文献２に記載された技術では、吸気ファンの位置と通気口の位置はずれているため、かご室内から吸気ファンは見えない。しかし、通気ダクトを必要とするため、部品点数を増加し、組立工数も増える。
【０００６】
このように、従来技術においては、吸気ファンを設ける際に、部品点数を増やさずに意匠性を向上することが難しかった。
【０００７】
本発明は、上記の課題を考慮してなされたものであり、その目的は、部品点数が少なく、かつ意匠性に優れる、吸気ファンを備えた乗りかご装置を提供することにある。
【課題を解決するための手段】
【０００８】
上記目的を達成するために、本発明によるエレベータの乗りかご装置においては、天板に吸気ファンと接続される第１の吸気口を設け、照明ケースに隣接する領域において、天板における第１の吸気口を有する部分を覆うと共に、第２の吸気口を有するカバー部材を設け、第１の吸気口の位置と第２の吸気口の位置は互いに離れている。
【０００９】
上記のような本発明の一態様は、天板上に設けられた吸気ファンを備えるエレベータの乗りかご装置であり、天板は、吸気ファンと接続される第１の吸気口を有し、かご室内における照明装置を覆う照明ケースに隣接する領域において、天板における第１の吸気口を有する部分を覆うと共に、第２の吸気口を有するカバー部材を設ける。ここで、かご室平面上で、第１の吸気口の位置と第２の吸気口の位置は互いに離れている。
【発明の効果】
【００１０】
第１の吸気口の位置と第２の吸気口の位置は互いに離れているので、かご室内から吸気ファンを見えないため、意匠性が向上する。かつ、吸気ファンから取り込まれた空気は、天板とカバーとの間の空間を流路とすることができるので、第１の吸気口と第１の吸気口が離れていながらも、通気ダクトなどを要することはなく、部品点数は増加しない。
【００１１】
上記した以外の課題、構成および効果は、以下の実施形態の説明により明らかにされる。
【図面の簡単な説明】
【００１２】
【図１】本発明の一実施形態であるエレベータの乗りかご装置の平面図である。
【図２】本実施形態の正面図である。
【図３】本実施形態の側面図である。
【図４】乗りかご内の吸気口の構成例を示す。
【図５】乗りかご内の吸気口の構成例を示す。
【図６】本発明の他の実施形態であるエレベータの乗りかご装置の平面図である。
【発明を実施するための形態】
【００１３】
以下、本発明の実施の形態を図面に基づいて説明する。
【００１４】
図１〜３は、本発明の一実施形態であるエレベータの乗りかご装置を示す。図１，２および３は、それぞれ、乗りかご上方から見た平面図，ドア側から見た正面図、および吸気ファン側から見た乗りかご上部の側面図である。
【００１５】
電動機で駆動される吸気ファン１が、かご室平面上において、側板５と照明ケース４の間に位置するように、かご上すなわち天板３の上面に、防振ゴム１１を介して設置される。なお、本実施形態においては、図１に示すように、吸気ファン１は、かご室平面上において、ドア側から見て、かご上の左端部かつ奥行き方向の中央部に設けられる。
【００１６】
かご上の吸気ファン１直下の天板３には、吸気ファン１の吐き出し口が接続される吸気口7Ａが設けられる。照明ケース４は、かご内照明用としてかご内天井部に取り付けられる蛍光灯管１００の周囲を覆うとともに、蛍光灯管１００の下部を覆うしゃへい板８を備える。この照明ケース４は蛍光灯管１００を保護する。また、しゃへい板８は、かご内上部における意匠部材であると共に、蛍光灯管１００が発する光をかご内に拡散してかご内を照明する。なお、光源としては蛍光灯管１００に限られるものではなくＬＥＤ等であっても良い。
【００１７】
かご内において、照明ケース４の周囲には、カバー２が設けられる。前述した吸気ファン１および吸気口７Ａは、このカバー２Ａの直上に位置する。カバー２は、かご室平面上においては、側板５と照明ケース４の間に位置し、鉛直方向においては天板３と、照明ケース４の下部であるしゃへい板８との間の高さ位置に位置する。すなわち、カバー２は、しゃへい板８よりも上方の奥まった位置に設けられる。なお、カバー２も、かご内から見える意匠部材である。
【００１８】
このようなカバー２において、ドア側から見て左側の側板に隣接する部分には、天板３に設けた吸気口7Ａとは平面方向でずらした位置、図１においては、奥行き方向でかご室奥に向かって吸気口７Ａから離れた位置に吸気口７Ｂが設けられる。ここで、吸気口７Ａの垂直投影と、吸気口７Ｂの垂直投影とが、重ならないように、両吸気口が互いに離れている。従って、吸気口７Ｂを設けても、吸気ファン１は、かご内からは見えない。なお、吸気口７Ｂは、図３においては単なる開口部として図示されているが、図４，５により後述するように、意匠性を向上したものでも良い。
【００１９】
なお、カバー２は、天板３における吸気口７Ａを有する部分を覆っていれば、照明ケース４に隣接する領域において、本実施形態では照明ケース４の周囲において、部分的に設けても良い。
【００２０】
本実施形態によれば、図３において矢印Ａ１が示すように、昇降路内における空気が吸気ファン１に取り込まれる。取り込まれた空気は、吸気ファン１から吸気ファン１の直下の吸気口７Ａを通って排出される。排出された空気は、矢印Ａ２が示すように、カバー２，天板３，照明ケース４の側面および側板５によって囲まれた空間を通って、カバー２に設けた吸気口７Ｂからかご室６に供給される。このように、カバー２と天板３との間の空間、すなわち、本実施例では、カバー２，天板３，照明ケース４の側面および側板５によって囲まれた空間が、空気の流路として利用されている。
【００２１】
図２が示すように、かご室６内の空気は、幅木９に設けた排気口１２を介して矢印Ａ３のように、かご外すなわち昇降路内に排気される。このような排気および上述した吸気により、かご室６内の空気が換気される。なお、排気口は、床１０に設けても良い。
【００２２】
図４，５は、図１に示したエレベータの乗りかご装置におけるカバー２に設けた吸気口７Ｂの構成例を示す。本構成例は、カバー２に設けた吸気口７Ｂがかご室内から見えるため、意匠性を向上したものである。図４に示した吸気口は、複数のスリット穴の集合により構成され、図５に示した吸気口は、複数の格子穴７Ｄの集合により構成される。これらスリット穴や格子穴の寸法や個数は、必要な吸気面積が得られるように設定される。
【００２３】
他方、天板３に設けた吸気口７Ａは、かご室内より見えないため、かご室サイズに応じた吸気面積を備える、単一の開口部とすることができる。
【００２４】
上記のような実施形態によれば、吸気ファン１から取り込んだ空気を排出する吸気口７Ａと、排出された空気をかご室内に供給する吸気口７Ｂを、位置をずらして配置することにより、かご室内から吸気ファン１が見えないので、かご室内の意匠性が向上する。さらに、吸気口７Ａから排出される空気は、カバー２と天板３の間の空間、すなわちカバー２，天板３，照明ケース４の側面および側板５によって囲まれた空間を通って吸気口７Ｂに至り、吸気口７Ｂからかご室内に供給されるので、吸気口７Ａから吸気口７Ｂに至る空気の流路に空気ダクトなどの特別な部材を必要としない。これにより、吸気口７Ａ，７Ｂをずらして配置して意匠性を向上しながらも、部品点数は増加しない。従って、本実施形態によれば、部品点数の増加を抑え、かつ意匠性に優れた吸気装置を備えた乗りかご装置が得られる。
【００２５】
図６は、本発明の他の実施形態であるエレベータの乗りかご装置を示す。本図は、図１と同様に、乗りかご上方から見た平面図である。なお、図６において、図１の構成要素に相当する構成要素には、同じ符号を記す。
【００２６】
本実施形態は、図１の実施形態と異なり、吸気ファン，吸気ファン直下の吸気口およびカバー２に設けられる吸気口がそれぞれ複数個設けられる。
【００２７】
吸気ファン１Ａは、かご室平面上において、ドア側から見て、かご上の左端部かつ奥行き方向の中央部に設けられ、かつ、吸気ファン１Ｂは、かご上の右端部かつ奥行き方向の中央部に設けられる。また、吸気口７Ａ１および吸気口７Ａ２は、天板３において、それぞれ吸気ファン１Ａの直下および吸気ファン１Ｂの直下に設けられる。
【００２８】
カバー２において、ドアから見て左側の側板に隣接する部分には、吸気口7Ａ１とは平面方向でずらした位置、図６においては、奥行き方向でかご室奥に向かって吸気口７Ａ１から離れた位置に吸気口７Ｂ１が設けられる。さらに、カバー２において、ドアから見て右側の側板に隣接する部分には、ドア側から見て右側の吸気口7Ａ２とは平面方向でずらした位置、図６においては、奥行き方向でかご室奥に向かって吸気口７Ａ２から離れた位置に吸気口７Ｂ２が設けられる。さらに、本実施形態においては、カバー２において、かご室の背面側すなわちかご室奥の側板に隣接する部分における、かご室の幅方向の中央部に、吸気口７Ｂ３が設けられる。
【００２９】
図１の実施形態と同様に、吸気ファン直下の吸気口７Ａ１，７Ａ２の各垂直投影と、カバー２に設けられる吸気口７Ｂ１，７Ｂ２および７Ｂ３の各垂直投影が互いに重なり合わないように、これら吸気口は互いに離れている。従って、カバー２に吸気口７Ｂ１，７Ｂ２および７Ｂ３を設けても、吸気ファン１Ａおよび１Ｂは、かご内からは見えない。また、カバー２，天板３，照明ケース４の側面および側板５によって囲まれた空間が流路として利用される。
【００３０】
なお、本実施形態の吸気口７Ｂ１〜３に対しても、図４または図５に示した吸気口の構成を適用することができる。
【００３１】
上記のように、本実施形態によっても、部品点数の増加を抑え、かつ意匠性に優れた吸気装置を備えた乗りかご装置が得られる。さらに、本実施形態によれば、吸気ファンおよび吸気口を複数設けることにより、乗りかご装置の換気性能を向上できる。これにより、かご室が大きくなっても、かご内を十分に換気して、快適性を向上することができる。
【００３２】
なお、本発明は前述した各実施形態に限定されるものではなく、様々な変形例が含まれる。例えば、前述した各実施形態は本発明を分かりやすく説明するために詳細に説明したものであり、必ずしも説明した全ての構成を備えるものに限定されるものではない。また、ある実施形態の構成の一部を他の実施形態の構成に置き換えることが可能であり、さらに、ある実施形態の構成に他の実形態の構成を加えることも可能である。さらにまた、各実施例の構成の一部について、他の構成の追加・削除・置き換えをすることが可能である。
【００３３】
例えば、吸気ファンを１台設けた場合でも、カバー２に複数の吸気口を設けても良い。このように、吸気ファン，吸気口および排気口の個数や位置は、上記のものに限らず、乗りかごの大きさや形状に応じて変えることができる。また、吸気ファンや吸気口の位置は、図１，６に示した位置に限らず、かご室平面上の中央部付近などであっても良い。さらに、上記実施形態においては、カバー２と照明ケース４はそれぞれ別体であるが、これらを、一体成型された部材としても良い。また、照明器具は、蛍光管に限らず、ＬＥＤを利用したものでもよい。
【符号の説明】
【００３４】
１，１Ａ，１Ｂ    吸気ファン
２    カバー
３    天板
４    照明ケース
５    側板
６    かご室
７Ａ，７Ｂ，７Ａ１，７Ａ２，７Ｂ１，７Ｂ２，７Ｂ３    吸気口
７Ｃ    スリット穴
７Ｄ    格子穴
８    しゃへい板
９    幅木
１０    床
１１    防振ゴム
１２    排気口
１００    蛍光灯管
【図１】
2015003820.tif 000003
【図２】
2015003820.tif 000004
【図３】
2015003820.tif 000005
【図４】
2015003820.tif 000006
【図５】
2015003820.tif 000007
【図６】
2015003820.tif 000008